(57)【要約】【課題】アクティブマトリクス型表示装置の消費電力を低減する。【解決手段】ドレイン線ドライバ１、ゲート線ドライバ２は複数のレベルシフタ３を有する。それぞれのレベルシフタ３は、時分割で動作する。両ドライバのスキャナを構成するシフトレジスタ９は、いずれかのレベルシフタ３に接続されているので、大部分のシフトレジスタの動作を停止させることができる。また、個々のレベルシフタ３に接続されるシフトレジスタ９は少ないため、従来必要だったバッファが不要となり、バッファで消費していた電力を削減することができる。【選択図】　図１
2004021096.tif 000002
【特許請求の範囲】
【請求項１】
行列状に配置された複数の画素電極と、
行方向に延在し複数配置されたゲート線と、
列方向に延在し複数配置されたドレイン線と、
前記ゲート線のゲート信号に応じて前記ドレイン線の映像信号を前記画素電極に供給する複数のスイッチング素子と、
前記複数のドレイン線のうち所定のドレイン線を順次選択して映像信号を供給するドレイン線ドライバと、前記複数のゲート線のうち所定のゲート線を順次選択してゲート信号を供給するゲート線ドライバとの少なくとも一方と、
を有するアクティブマトリクス型表示装置において、
前記ドレイン線ドライバもしくは／及びゲート線ドライバは、複数のレベルシフタを有し、前記複数のレベルシフタの少なくとも一部は、１垂直期間もしくは１水平期間のうち一部の期間でのみ動作し、それぞれの前記レベルシフタは互いにタイミングが重なり合って順次動作することを特徴とするアクティブマトリクス型表示装置。
【請求項２】
行列状に配置された複数の画素電極と、
行方向に延在し複数配置されたゲート線と、
列方向に延在し複数配置されたドレイン線と、
前記ゲート線のゲート信号に応じて前記ドレイン線の映像信号を前記画素電極に供給する複数のスイッチング素子と、
前記複数のドレイン線のうち所定のドレイン線を順次選択して映像信号を供給するドレイン線ドライバと、前記複数のゲート線のうち所定のゲート線を順次選択してゲート信号を供給するゲート線ドライバとの少なくとも一方と、
を有するアクティブマトリクス型表示装置において、
前記ドレイン線ドライバもしくは／及びゲート線ドライバは、複数段のシフトレジスタと、前記シフトレジスタそれぞれに対応して配置される複数段のレベルシフタとを有し、
前記レベルシフタは、前段及び後段の前記レベルシフタの出力の論理和に応じて電源が供給され、前記レベルシフタによって昇圧された電圧が前記ドレイン線もしくは／及び前記ゲート線に供給されることを特徴とするアクティブマトリクス型表示装置。
【発明の詳細な説明】
【０００１】
【発明の属する技術分野】
本発明は、画素毎にスイッチング素子を有するアクティブマトリクス型表示装置に関し、特に表示領域周辺に配置する駆動回路に関する。
【０００２】
【従来の技術】
現在用いられる表示装置は、大きく分けてパッシブマトリクス型と、アクティブマトリクス型に分類できる。このうち、アクティブマトリクス型表示装置は、それぞれの画素にスイッチング素子を設け、それぞれの画素にその画素の画像データに応じた電圧を印加して（もしくは電流を流して）表示を行うタイプの表示装置である。
【０００３】
液晶表示装置（Ｌｉｑｕｉｄ　Ｃｒｙｓｔａｌ　Ｄｉｓｐｌａｙ；ＬＣＤ）は対向する基板間に液晶を封入し、画素毎に形成された画素電極に電圧を印加して、液晶の透過率を変化させることによって表示を行う表示装置であり、アクティブマトリクス型ＬＣＤは、特にモニター用途で主流となっている。
【０００４】
また、エレクトロルミネッセンス（Ｅｌｅｃｔｒｏ　Ｌｕｍｉｎｅｓｃｅｎｃｅ；ＥＬ）表示装置は、画素毎に形成された画素電極からＥＬ素子に電流を流すことによって表示を行う表示装置であり、アクティブマトリクス型ＥＬ表示装置は、実用化に向けて研究が盛んである。
【０００５】
特にスイッチング素子に用いる薄膜トランジスタ（Ｔｈｉｎ　Ｆｉｌｍ　Ｔｒａｎｓｉｓｔｏｒ；ＴＦＴ）の半導体層を高温プロセスを用いずに製造する、いわゆる低温ポリシリコンＴＦＴの場合、ガラス基板上に各種周辺回路を一体的に作り込むことができるので、周囲に接続する駆動用のＩＣを削減でき、製造コストを削減することができる。低温ポリシリコンＴＦＴは上記ＬＣＤ、ＥＬ表示装置以外にも、プラズマディスプレイや、電界効果表示装置（ＦＥＤ）など様々なアクティブマトリクス型表示装置に用いることができる。
【０００６】
図５は従来のアクティブマトリクス型ＬＣＤを示す概念図である。ガラス基板上に各種回路が配置されたＬＣＤパネル１００に、外部制御回路２００が接続されている。
【０００７】
外部制御回路２００は、ＬＣＤパネル１００を動作させるための各種制御信号や映像信号、電源電圧ＶＤＤ等をＬＣＤパネル１００に供給する。外部制御回路２００は、通常のＣＭＯＳ回路であって、例えば３Ｖの低電圧で動作し、出力する制御信号も３Ｖの振幅である。
【０００８】
ＬＣＤパネル１００には、表示領域１０と各種周辺回路が配置されている。表示領域１０には、行列状に配置された複数の画素電極１１、列方向に延びる複数のドレイン線１２と、行方向に延びる複数のゲート線１３が配置され、ドレイン線１２とゲート線１３のそれぞれの交点に対応して選択トランジスタ１４が配置されている。選択トランジスタ１４のドレインがドレイン線１２に、ゲートがゲート線１３に、ソースが画素電極１１にそれぞれ接続されている。図示しないが、各画素電極１１には、それぞれＲＧＢいずれかの原色のカラーフィルタが対応して配置され、カラー表示を行う。
【０００９】
表示領域１０の側辺には、列側にドレイン線ドライバ２１が、行側にゲート線ドライバ２２がそれぞれ配置されている。ドレイン線ドライバ２１、ゲート線ドライバ２２と、外部制御回路２００との間には、電位変換回路３０が接続されている。
【００１０】
次に、アクティブマトリクス型表示装置の動作について説明する。ゲート線ドライバ２２は、複数のゲート線１３から所定のゲート線１３を順次選択してゲート電圧ＶＧを印加し、そのゲート線１３に接続された選択トランジスタ１４をオンする。ゲート線ドライバ２２は垂直スタート信号ＶＳＴによって１本目のゲート線１３を選択し、垂直クロックＶＣＫに応じて次のゲート線１３に順次切り換えて選択する。
【００１１】
ドレイン線ドライバ２１は、複数のドレイン線１２から所定のドレイン線１２を順次選択し、ドレイン線１２、選択トランジスタ１４を通じて画素電極１１にＲＧＢの映像信号を供給する。ドレイン線ドライバ２１は一度に１本もしくは複数本のドレイン線１２を選択する。ドレイン線ドライバ２１は水平スタート信号ＨＳＴによって最初のドレイン線１２を選択し、水平クロックＨＣＫに応じて次のドレイン線１２に順次切り換えて選択する。
【００１２】
上記垂直クロックＶＣＫや水平クロックＨＣＫは、外部制御回路２００が出力する３Ｖの振幅の低電圧クロックＶＣ　ＫＬ、ＨＣＫＬを電位変換回路３０によって例えば１２Ｖまで昇圧することによって生成される。１本のドレイン線１２やゲート線１３には多くの画素電極１１が接続されているため、３Ｖ程度の低電圧で動作させることはできない。そこで、外部制御回路２００から供給される制御信号を１２Ｖのより高い電圧に昇圧するのである。これは、表示装置としての動作速度をＴＦＴで実現するために必要な手段である。電位変換回路３０は、電圧を上げるレベルシフタ３１と、電流駆動能力を高めるバッファ３２からなり、レベルシフタ３１、バッファ３２は、昇圧する制御信号毎にそれぞれ配置される。
【００１３】
図６はドレイン線ドライバ２１を示す回路図である。ドレイン線ドライバ２１は、スキャナ２３と複数のＲＧＢ選択回路２４を有する。スキャナ２３は複数のシフトレジスタ２５よりなり、各段のシフトレジスタ２５には、外部制御回路２００より供給される制御信号ＨＣＫＬを電位変換回路３０によって昇圧した水平クロックＨＣＫが入力される。ＲＧＢ選択回路２４は、シフトレジスタ２５の出力がゲートに接続された３つのドレイン線選択トランジスタ２６よりなり、各ドレイン線選択トランジスタ２６のドレインは、データ線３３ＲＧＢのいずれかと接続されている。各ドレイン線選択トランジスタ２６のソースはドレイン線１２に接続されている。
【００１４】
１段目のシフトレジスタ２５ａには水平スタート信号ＨＳＴが入力される。シフトレジスタ２５ａはＨＳＴが入力されると水平クロックＨＣＫ１周期の間出力端子Ｑの出力がハイになる。シフトレジスタ２５ａの出力によって、ドレイン線選択トランジスタ２６のうち、２６Ｒａ、２６Ｇａ、２６Ｂａがそれぞれオンとなり、データ線３３Ｒ、Ｇ、Ｂの映像信号がそれぞれドレイン線１２Ｒａ、１２Ｇａ、１２Ｂａに供給される。シフトレジスタ２５ａの出力は同時に２段目のシフトレジスタ２５ｂに入力され、シフトレジスタ２５ｂの出力は、次の水平クロックＨＣＫ１周期の間ハイになり、選択トランジスタ２６Ｒｂ、Ｇｂ、Ｂｂがオンしてデータ線３３ＲＧＢの映像信号がドレイン線１２Ｒｂ、１２Ｇｂ、１２Ｂｂに供給される。そして、シフトレジスタ２５ｂの出力によって次のシフトレジスタ２５ｃがオンする。以下、同様にシフトレジスタ２５が順次ハイになってドレイン線１２を順次選択し、全画素に映像信号を供給する。
【００１５】
１行分全てのドレイン線１２が選択された後、垂直クロックＶＣ　Ｋが次の周期になってゲート線ドライバ２２は次のゲート線１３にゲート電圧ＶＧを供給し、再び水平スタート信号ＨＳＴが入力され、シフトレジスタ２５ａの出力がハイになる。ゲート線ドライバ２２もスキャナより構成されている。
【００１６】
【発明が解決しようとする課題】
近年、携帯電話や携帯情報端末の普及に伴い、表示装置の低電力化の要求が高まっている。
【００１７】
一方、水平クロックＨＣＫや垂直クロックＶＣＫは、ドレイン線ドライバ２１、ゲート線ドライバ２２それぞれの全段のシフトレジスタ２５に供給され、これを駆動する。そのため、従来のアクティブマトリクス型表示装置は、大きな電流駆動能力が必要とされ、必然的に消費電力も大きなものとなっていた。特に、電流駆動能力を確保するために設置するバッファ３２は、消費電力が大きい。
【００１８】
そこで、本発明は、より消費電力の小さいアクティブマトリクス型表示装置を提供することを目的とする。
【００１９】
【課題を解決するための手段】
本発明は、上記課題を解決するためになされ、行列状に配置された複数の画素電極と、行方向に延在し複数配置されたゲート線と、列方向に延在し複数配置されたドレイン線と、ゲート線のゲート信号に応じてドレイン線の映像信号を画素電極に供給する複数のスイッチング素子と、複数のドレイン線のうち所定のドレイン線を順次選択して映像信号を供給するドレイン線ドライバと、複数のゲート線のうち所定のゲート線を順次選択してゲート信号を供給するゲート線ドライバとの少なくとも一方と、を有するアクティブマトリクス型表示装置において、ドレイン線ドライバもしくは／及びゲート線ドライバは、複数のレベルシフタを有し、複数のレベルシフタの少なくとも一部は、１垂直期間もしくは１水平期間のうち一部の期間でのみ動作し、それぞれのレベルシフタは互いにタイミングが重なり合って順次動作するアクティブマトリクス型表示装置である。
【００２０】
また、行列状に配置された複数の画素電極と、行方向に延在し複数配置されたゲート線と、列方向に延在し複数配置されたドレイン線と、ゲート線のゲート信号に応じてドレイン線の映像信号を画素電極に供給する複数のスイッチング素子と、複数のドレイン線のうち所定のドレイン線を順次選択して映像信号を供給するドレイン線ドライバと、複数のゲート線のうち所定のゲート線を順次選択してゲート信号を供給するゲート線ドライバとの少なくとも一方と、を有するアクティブマトリクス型表示装置において、ドレイン線ドライバもしくは／及びゲート線ドライバは、複数段のシフトレジスタと、シフトレジスタそれぞれに対応して配置される複数段のレベルシフタとを有し、レベルシフタは、前段及び後段のレベルシフタの出力の論理和に応じて電源が供給され、レベルシフタによって昇圧された電圧がドレイン線もしくは／及びゲート線に供給されるアクティブマトリクス型表示装置である。
【００２１】
【発明の実施の形態】
図１は本発明のアクティブマトリクス型表示装置を示す概念図である。従来と同様の構成については図６の従来のＬＣＤと同じ番号を付し、説明を省略する。
【００２２】
外部制御回路２００、ＬＣＤパネル１００の表示領域１０は、従来と全く同様である。
【００２３】
表示領域１０の側辺には、列側にドレイン線ドライバ１が、行側にゲート線ドライバ２がそれぞれ配置されている。ドレイン線ドライバ１、ゲート線ドライバ２の基本的動作は従来と同様である。即ち、ゲート線ドライバ２は、垂直スタート信号ＶＳＴによって１本目のゲート線１３を選択し、垂直クロックＶＣＫに応じて次のゲート線１３に順次切り換えてゲート電圧ＶＧを供給する。ドレイン線ドライバ１は、水平スタート信号ＨＳＴによって最初のドレイン線１２を選択し、水平クロックＨＣＫに応じて次のドレイン線１２に順次切り換えて映像信号を供給する。
【００２４】
本実施形態の特徴的な点は、ドレイン線ドライバ１、ゲート線ドライバ２がレベルシフト回路４、５を有する点である。レベルシフト回路４、５は、それぞれレベルシフタ３を複数有し、２段目以降のレベルシフタは、１垂直期間もしくは１水平期間のうち一部の期間でのみ動作し、それぞれのレベルシフタは互いにタイミングが重なり合って順次動作する。
【００２５】
以下にドレイン線ドライバ１についてより詳細に説明する。図２はドレイン線ドライバ１を示す回路図である。ドレイン線ドライバ１は、複数のシフトレジスタ９と、レベルシフト回路４、複数のＲＧＢ選択回路２４を有する。レベルシフト回路４は、複数のレベルシフタ３を有する。２段目以降のレベルシフタ３とそれに接続される電源ＶＤＤとの間には、電圧供給回路８が接続されている。電圧供給回路８は論理和回路（以下ＯＲ回路と称する）６とＯＲ回路６の出力でオン／オフするスイッチ７より構成される。１段目のレベルシフタ３は常にオンであり、２段目以降のレベルシフタ３は電圧供給回路８によって電圧の供給がオン、オフされ、一定期間のみオンする。個々のレベルシフタ３、電圧供給回路８、シフトレジスタ９、ＲＧＢ選択回路２４等はそれぞれ同じ構成であるが、それらを格段で区別する場合は、３ａ、３ｂ、３ｃ等のように表記する。
【００２６】
シフトレジスタ９は、その出力が次の段のシフトレジスタ９に入力されてスキャナを構成している。シフトレジスタ９には、外部制御回路２００から供給される振幅３Ｖの低電圧クロックＨＣＫＬか、その反転クロック＊ＨＣＫＬが入力される。シフトレジスタ９はクロックＨＣＫＬの半周期毎に次々と順に切り替わって出力する。シフトレジスタ９の出力は、レベルシフタ３によって昇圧され、水平クロックＨＣＫとしてＲＧＢ選択回路２４に供給される。ＲＧＢ選択回路２４は図６に示した従来のＲＧＢ選択回路と全く同様であり、水平クロックＨＣＫに応じてデータ線３３とドレイン線１２を接続する。
【００２７】
電圧供給回路８は、前段と後段の水平クロックＨＣＫが供給されるＯＲ回路６を有し、ＯＲ回路６の出力によってスイッチ７がオンする。スイッチ７がオンしたレベルシフタ３は電源ＶＤＤに接続され、低電圧クロックＨＣＫＬを昇圧して水平クロックＨＣＫを出力できるようになる。
【００２８】
次に、ドレイン線ドライバ１の動作について説明する。まず、水平スタート信号ＨＳＴが１段目のシフトレジスタ９ａとＯＲ回路６ａに入力される。水平スタート信号ＨＳＴによってシフトレジスタ９ａがセットされる。次に低電圧クロックＨＣＫＬがハイになると１段目のシフトレジスタ９ａがクロックＨＣＫａを出力し、昇圧された水平クロックＨＣＫａが１段目のＲＧＢ選択回路２４ａに供給され、データ線３３Ｒ、Ｇ、Ｂとドレイン線１２Ｒａ、１２Ｇａ、１２Ｂａとがそれぞれ接続され、１段目のドレイン線１２Ｒａ、１２Ｇａ、１２Ｂａに映像信号が供給される。１段目の水平クロックＨＣＫａは、同時に２段目のＯＲ回路６ｂに供給され、ＯＲ回路６ｂの出力によってスイッチ７ｂがオンし、２段目のレベルシフタ３ｂが電源ＶＤＤに接続される。これによって、１段目の動作期間中に２段目のレベルシフタ３ｂが動作を開始し、スタンバイする。
【００２９】
次に低電圧クロックＨＣＫＬがロウになる、即ち反転クロック＊ＨＣＫＬがハイになると１段目のシフトレジスタ９ａはリセットされ、レベルシフタ３ａは出力を停止する。そしてシフトレジスタ９ｂが出力し、既に動作しているレベルシフタ３ｂによって昇圧され、２段目のクロックＨＣＫｂが出力され、２段目のドレイン線１２Ｒｂ、１２Ｇｂ、１２Ｂｂに映像信号が供給される。クロックＨＣＫｂは、同時に３段目のＯＲ回路６ｃに供給され、３段目のレベルシフタ３ｃが電源ＶＤＤに接続されてスタンバイとなる。
【００３０】
次に低電圧クロックＨＣＫＬがハイになると、２段目のシフトレジスタ９ｂはリセットされ、レベルシフタ３ｂは出力を停止する。そしてシフトレジスタ９ｃが出力し、既に動作しているレベルシフタ３ｃによって昇圧され、３段目のクロックＨＣＫｃが出力され、３段目のドレイン線１２Ｒｃ、１２Ｇｃ、１２Ｂｃに映像信号が供給される。クロックＨＣＫｃは、同時に４段目のＯＲ回路６ｄに供給され、３段目のレベルシフタ３ｄが電源ＶＤＤに接続される。
【００３１】
次に低電圧クロックＨＣＫＬがロウになると、３段目のシフトレジスタ９ｃはリセットされ、レベルシフタ３ｃは出力を停止する。これによって、２段目のＯＲ回路６ｂには入力がなくなり、スイッチ７ｂがオフしてレベルシフタ３ｂが電源ＶＤＤから切り離され、動作を停止する。そしてシフトレジスタ９ｃが出力し、既に動作しているレベルシフタ３ｃによって昇圧され、３段目のクロックＨＣＫｃが出力され、３段目のドレイン線１２Ｒｃ、１２Ｇｃ、１２Ｂｃに映像信号が供給される。クロックＨＣＫｃは、同時に４段目のＯＲ回路６ｄに供給され、３段目のレベルシフタ３ｄが電源ＶＤＤに接続される。
【００３２】
以下、同様にｎ−１段のレベルシフタ３の出力するクロックＨＣＫによってｎ段のレベルシフタ３が動作し、これに接続されたシフトレジスタ９が出力してドレイン線１２に映像信号を供給し、ｎ＋１段のレベルシフタ３の出力が停止することよってｎ段のレベルシフタ３のスイッチ８をオフする。これを繰り返し行うことによって、ドレイン線１２を順次選択し、全画素に映像信号を供給する。
【００３３】
１行分全てのドレイン線１２が選択されると、垂直クロックＶＣＫが次の周期になってゲート線ドライバ２は次のゲート線１３にゲート電圧ＶＧを供給し、再び水平スタート信号ＨＳＴが入力され、シフトレジスタ９ａの出力がハイになる。ゲート線ドライバ２も、ドレイン線ドライバ１と同様、複数のレベルシフタ３とシフトレジスタ９よりなる構成である。
【００３４】
図３に、本実施形態の出力タイミングチャートを示す。水平スタート信号ＨＳＴがハイになった期間より１単位時間遅れて１段目のクロックＨＣＫａがハイになり、順次１単位時間ずつ遅れてクロックＨＣＫがハイになっていく。例えば、２段目のレベルシフタ３ｂは、図中ＬＳ３ｂ　ａｃｔｉｖｅで示した期間、即ち前段のレベルシフタ３ａの出力がハイになったタイミングから３段目の出力クロックＨＣＫｃがロウになるまでの期間動作する。以下同様に、レベルシフタ３は、１水平期間よりも前後に１単位時間ずつ、合計２単位時間長い期間にわたって順次動作し、前後の段のレベルシフタ３の動作と重なって動作し、その他の期間は動作を停止する。１００万画素の表示装置であれば、数百段のレベルシフタ３が配置されることになり、そのうち動作状態になっているレベルシフタ３はごく一部である。従って、従来のように、全段の昇圧に対応したレベルシフタ３１を動作させるのに比較して消費電力を削減できる。
【００３５】
また、レベルシフタ３の出力は、ただ一つのＲＧＢ選択回路２４に供給されるのみであるので、それほど大きな電流駆動能力は必要とされず、本実施形態において、バッファ３２を設ける必要はない。従ってバッファ３２が消費する分の消費電力を削減することができる。
【００３６】
特に、それぞれのレベルシフタは互いにタイミングが重なり合って順次動作するので、レベルシフタ３は、電源ＶＤＤに接続されてから１単位時間後に動作を開始すればよいため、その動作期間には安定した動作を行うことができる。そして、レベルシフタ３は、動作期間が終了してから１単位時間遅れて電源ＶＤＤから遮断されるので、確実に動作を終了させることができる。
【００３７】
更に、シフトレジスタ９は昇圧前の３Ｖのままで動作するので、従来のように昇圧されたクロックで動作するのに比較してシフトレジスタ９での消費電力を削減することができる。
【００３８】
次に、本発明の第２の実施形態について述べる。図４は、本実施形態のドレイン線ドライバ１を示す回路図である。本実施形態においては、レベルシフタ３の出力が、それ自身のＯＲ回路６に供給されている点が第１の実施形態と異なる。本実施形態において、各レベルシフタ３は、前段のレベルシフタ３の出力によって電源ＶＤＤに接続され、自身の出力が停止することによって、電源ＶＤＤから遮断される。従って、第１の実施形態に比較して、更に各レベルシフタ３に電源電圧が供給される時間が短くなり、更に消費電力を低減することができる。ただし、本実施形態では、自身の出力によって電源を遮断するので、遮断動作が不安定になるおそれがある。
【００３９】
また、上述した実施形態は、前段、後段の出力によって電源ＶＤＤとの接続を制御したが、２段以上前、後のレベルシフタの出力によって制御してももちろん良い。より前の出力によって制御すれば、それだけレベルシフタの動作開始から出力までの期間が長くなり、より安定して動作させることができる。ただし、その分レベルシフタが動作する期間は長くなるので、消費電力が大きくなる。
【００４０】
上述した実施形態は、ドレイン線ドライバ１で説明したが、ゲート線ドライバ２にも全く同様に実施することができる。ドレイン線ドライバはゲート線ドライバに比較して高速で動作させる必要があるので、多くのシフトレジスタが動作することに起因する消費電力の増加が大きい。従って、本発明は、ゲート線ドライバよりもドレイン線ドライバに実施するとより効果が大きい。これに比較して、ゲート線ドライバにレベルシフト回路を配置する効果は小さい。もちろんゲート線ドライバにも複数のレベルシフタを配置する効果はあるが、従来のように一つのレベルシフタとバッファを用いた電位変換回路を配置するのに比較して、当然素子数が増加する。素子数の増加は歩留まりの低下につながる恐れがある。従って、より効果の大きいドレイン線ドライバに、複数のレベルシフタを有するレベルシフト回路を配置し、ゲート線ドライバには、従来の技術で説明した、一つのレベルシフタとバッファよりなる従来の電位変換回路を接続するとよい。
【００４１】
上記実施形態は、いずれもＬＣＤを例示して説明したが、これに限定されるものではなく、ＥＬ表示装置やプラズマディスプレイや、ＦＥＤなど様々なアクティブマトリクス型表示装置に用いることができる。
【００４２】
【発明の効果】
以上に説明したように、本発明によれば、タイミングの重なり合った時分割で動作する複数のレベルシフタを有するレベルシフト回路を有するので、ドレイン線ドライバもしくは／及びゲート線ドライバの動作していない回路部分の動作を停止させ、消費電力を削減することができる。
【００４３】
特に、ドレイン線ドライバもしくは／及びゲート線ドライバを構成する複数のシフトレジスタのうち、一つのスキャナに接続されたシフトレジスタのみ動作させ、それ以外のシフトレジスタの動作を停止させるので、大部分のシフトレジスタは動作を停止させることができ、消費電力を大きく削減することができる。
【００４４】
さらに、一つのレベルシフタに対応するシフトレジスタは、１５個以下であれば、レベルシフタの電流駆動能力が不足することがないので、バッファを配置する必要がなく、バッファが消費する電力を削減することができる。
【００４５】
また、ドレイン線ドライバは、ゲート線ドライバよりも高速に動作させる必要があるので、ドレイン線ドライバに時分割で動作する複数のレベルシフタを有するレベルシフト回路を接続すれば、より顕著な効果を奏することができる。
【図面の簡単な説明】
【図１】本発明のアクティブマトリクス型表示装置の概念図である。
【図２】本発明の第１の実施例におけるレベルシフト回路、ドレイン線ドライバを示す回路図である。
【図３】本発明の第１の実施形態におけるタイミングチャートである。
【図４】本発明の第２の実施例におけるレベルシフト回路、ドレイン線ドライバを示す回路図である。
【図５】従来のアクティブマトリクス型表示装置の概念図である。
【図６】従来のベルシフタ、ドレイン線ドライバを示す回路図である。
【符号の説明】
１　　　ドレイン線ドライバ
２　　　ゲート線ドライバ
３　　　レベルシフタ
４、５　レベルシフト回路
７　　　シフトレジスタ
１０　　表示領域
１２　　ドレイン線
１３　　ゲート線
【図１】
2004021096.tif 000003
【図２】
2004021096.tif 000004
【図３】
2004021096.tif 000005
【図４】
2004021096.tif 000006
【図５】
2004021096.tif 000007
【図６】
2004021096.tif 000008